(57)【特許請求の範囲】
【請求項１】
筒状開口部にシール材を被着する医薬品用容器の該シール材上に被着結合される、全体がプラスチックからなるキャップであって、
医薬品用容器の筒状開口部外周面とシール材の外周面とに接触する筒状部と；
シール材の上面周縁部に接触する環状円板部と；
この環状円板部の内側に直立された中心突起部と；を有し、
環状円板部には、その中心突起部側に肉厚を徐々に減じ、最深部に環状薄肉部を形成するテーパ部が形成されており、
中心突起部は、この環状薄肉部の内側に起立していて、かつ、その環状薄肉部側基部に厚肉筒状部が形成されている医薬品容器用プラスチック製キャップ。
【請求項２】
請求項１記載のキャップにおいて、環状円板部と中心突起部のシール材との対向面には、環状薄肉部の径より大径の凹部が形成され、中心突起部とシール材の上面との間に隙間が形成される医薬品容器用プラスチック製キャップ。
【請求項３】
請求項２項記載のキャップにおいて、環状円板部と中心突起部のシール材との対向面の凹部の深さは、０．１〜０．５ｍｍである医薬品容器用プラスチック製キャップ。
【請求項４】
請求項１ないし３のいずれか１項記載のキャップにおいて、環状切断薄肉部の肉厚は、０．０１〜１ｍｍである医薬品容器用プラスチック製キャップ。
【請求項５】
請求項１ないし３のいずれか１項記載のキャップにおいて、中心突起部の厚肉筒状部の高さは、環状円板部の肉厚より低い医薬品容器用プラスチック製キャップ。
【請求項６】
筒状開口部にシール材を被着する医薬品用容器の該シール材上に被着結合される、全体がプラスチックからなるキャップであって、
医薬品用容器の筒状開口部外周面とシール材の外周面とに接触する筒状部と；
シール材の上面周縁部に接触する環状円板部と；
この環状円板部の内側に直立された中心突起部と；を有し、
環状円板部には、その中心突起部側に肉厚を徐々に減じ、最深部に環状薄肉部を形成するテーパ部が形成されており、
環状円板部と中心突起部のシール材との対向面には、環状薄肉部の径より大径で、中心突起部とシール材の上面との間に隙間を形成する凹部が形成されていることを特徴とする医薬品容器用プラスチック製キャップ。
【請求項７】
請求項１ないし６のいずれか１項記載のキャップにおいて、プラスチック材料は、ポリアミド、ポリエチレンテレフタレート、ポリブチレンテレフタレート、ポリプロピレン、ポリメチルペンテン、ポリカーボネート、ポリフェニレンサルファイト、ポリアリレート、ポリサルホン、ポリエーテルサルホン、ポリエーテルエーテルケトン、ポリエーテルイミド、液晶ポリマー、ポリエーテルケトン、ポリアリルエーテルケトン、ポリアセタール、変性ポリプロピレンエーテル、芳香族ポリアミド及び環状オレフィン樹脂からなる群から選ばれる１以上からなる医薬品容器用プラスチック製キャップ。
【発明の詳細な説明】
【０００１】
【技術分野】
本発明は、ゴム栓等のシール材を有する医薬品用容器に被着するプラスチック製キャップに関する。
【０００２】
【従来技術およびその問題点】
医薬品を充填する医薬品用容器では、その筒状開口部を針刺通面となるシール材で閉塞し、このシール材上に、シール材と医薬品用容器を長期に渡って密着保持するキャップを設けており、このようなキャップの一種として、中心部に横から押圧すると切断除去できる突起部を有するタイプが知られている。通常の使用態様では、医薬品用容器を片手に持ち、親指で中心突起部を押圧して切断除去し、露出したシール材の針刺通面に注射針を刺して内容物を吸引する。
【０００３】
このようなキャップは従来、金属、または金属とプラスチック材料の複合体からなっていた。このうち、金属製のキャップは、形状や中心突起部の切断荷重等の切断特性に自由度が得やすいが、中心突起部の切断時に微細な金属粉が針刺通面に飛散するおそれがある。また、中心突起部周辺のキャップ基体をプラスチック材料で構成し、このキャップ基体を金属材料で医薬品用容器開口部に固定する、金属とプラスチック材料の複合体からなるキャップは、廃棄時に材質毎に分別しなければならないという面倒さがあるばかりか、中心突起部の切断性が悪いという問題がある。
【０００４】
【発明の目的】
本発明は従って、全体がプラスチック材料からなり、中心突起部を容易確実に切断することができる医薬品容器用プラスチック製キャップを得ることを目的とする。
【０００５】
【発明の概要】
本発明は、筒状開口部にシール材を被着する医薬品用容器の該シール材上に被着結合される、全体がプラスチックからなるキャップであって、医薬品用容器の筒状開口部外周面とシール材の外周面とに接触する筒状部と；シール材の上面周縁部に接触する環状円板部と；この環状円板部の内側に直立された中心突起部と；を有し、環状円板部には、その中心突起部側に肉厚を徐々に減じ、最深部に環状薄肉部を形成するテーパ部が形成されており、中心突起部は、この環状薄肉部の内側に起立していて、かつ、その環状薄肉部側基部に厚肉筒状部が形成されていることを特徴としている。
【０００６】
このように、環状円板部にテーパ部によって環状薄肉部を形成し、この環状薄肉部の内側に中心突起部を起立させて、その基部に厚肉筒状部を形成することにより、中心突起部の切断性を高めることができる。すなわち、中心突起部の基部の厚肉筒状部は、環状薄肉部周辺の剛性を高め、中心突起部に倒す方向の力を加えたとき、該中心突起部を容易に切断させる。中心突起部の厚肉筒状部の高さは、環状円板部の肉厚より低くてもよい。
【０００７】
環状円板部と中心突起部のシール材との対向面には、環状薄肉部の径より大径の凹部を形成することが好ましい。中心突起部の下面とシール材上面との間に隙間ができ、中心突起部の切断性が向上する。この環状円板部と中心突起部のシール材との対向面の凹部の深さは、キャップ全体及び中心突起部の大きさを考慮して０．１〜０．５ｍｍとし、環状切断薄肉部の肉厚を０．０１〜１ｍｍとすると、好ましい切断性が得られることが確認された。
【０００８】
本発明のプラスチック製キャップは、中心突起部に厚肉筒状部を形成することなく、環状円板部と中心突起部のシール材との対向面に、中心突起部とシール材の上面との間に隙間を形成する凹部を設ける態様も可能である。
すなわち、本発明は、別の態様によると、筒状開口部にシール材を被着する医薬品用容器の該シール材上に被着結合される、全体がプラスチックからなるキャップであって、医薬品用容器の筒状開口部外周面とシール材の外周面とに接触する筒状部と；シール材の上面周縁部に接触する環状円板部と；この環状円板部の内側に直立された中心突起部と；を有し、環状円板部には、その中心突起部側に肉厚を徐々に減じ、最深部に環状薄肉部を形成するテーパ部が形成されており、環状円板部と中心突起部のシール材との対向面には、環状薄肉部の径より大径で、中心突起部とシール材の上面との間に隙間を形成する凹部が形成されることを特徴としている。
【０００９】
本発明のプラスチック製キャップを構成するプラスチック材料は、例えば、ポリアミド、ポリエチレンテレフタレート、ポリブチレンテレフタレート、ポリプロピレン、ポリメチルペンテン、ポリカーボネート、ポリフェニレンサルファイト、ポリアリレート、ポリサルホン、ポリエーテルサルホン、ポリエーテルエーテルケトン、ポリエーテルイミド、液晶ポリマー、ポリエーテルケトン、ポリアリルエーテルケトン、ポリアセタール、変性ポリプロピレンエーテル、芳香族ポリアミド及び環状オレフィン樹脂からなる群から選ばれる１以上を用いることができる。特に、硬さ及びコストの点から、ポリプロピレンが好ましい。
【００１０】
【発明の実施形態】
本発明のプラスチック製キャップ１０が対象とする医薬品用容器２０は、筒状開口部２１を有し、この筒状開口部２１にゴム栓（シール材）２２が被着される。筒状開口部２１の外周面には、端部の大径部２３に続くネック部２４が形成されている。医薬品用容器２０の内容液（例えば薬液）は、ゴム栓２２の平面状をなす針刺通面２２ａに注射器の注射針を刺して吸引する。
【００１１】
プラスチック製キャップ１０は、この医薬品用容器２０の筒状開口部２１とゴム栓２２とを、長期に渡って密着保持し、ゴム栓２２及び医薬品用容器２０内容液の変質を防ぐ働きと、使用時に簡単に針刺通面２２ａを露出させる働きとを有する。このプラスチック製キャップ１０は、全体がプラスチック材料からなるもので、プラスチック材料としては例えば、ポリアミド、ポリエチレンテレフタレート、ポリブチレンテレフタレート、ポリプロピレン、ポリメチルペンテン、ポリカーボネート、ポリフェニレンサルファイト、ポリアリレート、ポリサルホン、ポリエーテルサルホン、ポリエーテルエーテルケトン、ポリエーテルイミド、液晶ポリマー、ポリエーテルケトン、ポリアリルエーテルケトン、ポリアセタール、変性ポリプロピレンエーテル、芳香族ポリアミド及び環状オレフィン樹脂からなる群から選ばれる１以上を用いることができる。特に、硬さ及びコストの点から、ポリプロピレンを用いることが好ましい。プラスチック製キャップ１０は、医薬品用容器２０の筒状開口部２１の外周面に延びる筒状部１１と、この筒状部１１の上端部からゴム栓２２上に延びる環状円板部１２と、この環状円板部１２の内側に直立された中心突起部１３とを有する。筒状部１１の下端部には、容器２０のネック部２４に係合する抜け止め爪１１ａが形成されている。
【００１２】
環状円板部１２と中心突起部１３は、次のように形成されている。環状円板部１２には、その中心突起部１３側に肉厚を徐々に減じるテーパ部（テーパ面）１４が形成されており、このテーパ部１４の最深部に環状薄肉部１５が形成されている。環状薄肉部１５の幅ｓは、０．１ｍｍ以下とするのがよい。
【００１３】
中空をなす中心突起部１３は、この環状薄肉部１５の内側に起立していて、その環状薄肉部１５側の基部に、その上部より厚肉の厚肉筒状部１６が形成されている。この厚肉筒状部１６は、中心突起部１３の環状薄肉部１５周辺の剛性を高め、中心突起部１３に横方向から倒し力を与えたとき環状薄肉部１５に応力集中を生じさせる作用をする。
【００１４】
また、環状円板部１２と中心突起部１３のゴム栓２２との対向面には、環状薄肉部１５の径ｒより大径Ｄの凹部１７が形成されている。この凹部１７は、中心突起部１３の下面とゴム栓２２の針刺通面２２ａとの間に隙間を形成し、中心突起部１３に初期倒し力を与えたとき、中心突起部１３を倒れやすくする働きがある。すなわち、仮に、中心突起部１３の下面とゴム栓２２の針刺通面２２ａとが密着していると、中心突起部１３に倒し力を与えたとき、ゴム栓２２が抵抗となるが、凹部１７による隙間があると、中心突起部１３に初期倒し力を与えたときゴム栓２２が抵抗とならない。このため、小さい力で中心突起部１３を切断することができる。この凹部１７の深さｄは、０．１〜０．５ｍｍに設定することが好ましく、環状薄肉部１５の厚さｔは、この凹部１７による厚さの減少を見込んで、０．０１〜１ｍｍとするのがよい。より望ましくは、０．０５〜０．５ｍｍがよい。
【００１５】
以上のプラスチック製キャップ１０は、医薬品を充填し、筒状開口部２１にゴム栓２２を被着した医薬品用容器２０に図１のように被せられる。すなわち、筒状部１１をその下端部の抜け止め爪１１ａを大径部２３に当接させて弾性変形させながら該大径部２３に嵌めると、抜け止め爪１１ａがネック部２４に至ったとき、筒状部１１が弾性復帰して、該爪１１ａがネック部２４に係止される。このとき、環状円板部１２はゴム栓２２の上面に密着する。これでプラスチック製キャップ１０は抜け止められ、ゴム栓２２を筒状開口部２１に固定する。ゴム栓２２は空気に触れることがなく、その変質及び医薬品用容器２０の内容液の変質が防がれる。
【００１６】
使用するときには、医薬品用容器全体を片手にもち、例えば親指で中心突起部１３を横から押す。すると、環状薄肉部１５から中心突起部１３が切断され、ゴム栓２２の針刺通面２２ａが露出する。露出した針刺通面２２ａから注射器の針を刺して内容液を吸引する。
【００１７】
以上の中心突起部１３の切断作業は、第一に中心突起部１３の下端部に厚肉筒状部１６が形成されていて、その剛性が高められていることから、第二に中心突起部１３の下面とゴム栓２２の針刺通面２２ａとの間に凹部１７による隙間が存在していることから、小さい力で確実に行うことができる。すなわち、中心突起部１３が切断される環状薄肉部１５のすぐ内側に厚肉筒状部１６が存在することから、中心突起部１３に加える倒し力を環状薄肉部１５近傍に伝達して応力を集中させ、凹部１７による隙間で中心突起部１３の初期倒し抵抗をなくして、環状薄肉部１５から切断することができる。環状薄肉部１５での切断開始直後に、中心突起部１３の底部はゴム栓２２に接触するが、切断が開始された後の抵抗は問題とならない。
【００１８】
【発明の効果】
本発明によれば、全体がプラスチック材料からなり、中心突起部を容易確実に切断することができるプラスチック製キャップを得ることができる。
【図面の簡単な説明】
【図１】本発明による医薬品容器用プラスチック製キャップの一実施形態を示す、ゴム栓を有する医薬品用容器に被着した状態の断面図である。
【図２】図１のプラスチック製キャップ単体の拡大断面図である。
【図３】図１のIII部拡大断面図である。
【符号の説明】
１０  プラスチック製キャップ
１１  筒状部
１２  環状円板部
１３  中心突起部
１４  テーパ部
１５  環状薄肉部
１６  厚肉筒状部
１７  凹部
２０  医薬品用容器
２１  筒状開口部
２２  ゴム栓（シール材）
２２ａ  針刺通面
２３  大径部
２４  ネック部
【図１】
0004194694.tif 000002
【図２】
0004194694.tif 000003
【図３】
0004194694.tif 000004